(57)【要約】      （修正有）【課題】保冷材の持続性を向上させるとともに、作業者の汗が保冷材に付着することを防ぐことができる保冷材カバーを提供する。【解決手段】保冷材カバー１は、断熱シート部２と遮水シート部３が、短辺となる端部２１、３１付近において接合されている。これにより、保冷材カバー１は、断熱シート部２又は遮水シート部３のいずれか、或いは双方をめくることにより、当該断熱シート部２と遮水シート部３の間の空間にの保冷材を収納することができる。【選択図】図１
0003184825.tif 000002
【実用新案登録請求の範囲】
【請求項１】
作業者が装着する保冷材を覆う保冷材カバーであって、
前記保冷材カバーは、発泡体を略矩形のシート状に形成した断熱シート部と、該断熱シート部と略同一形状に形成された遮水性素材からなる遮水シート部と、を備え、
前記作業者が保冷材を装着した際に、前記保冷材の作業者側に前記遮水シート部が位置し、作業者と反対側に前記断熱シート部が位置するようにした
ことを特徴とする、保冷材カバー。
【請求項２】
前記断熱シート部と前記遮水シート部は、上端側の端部同士が接合された
ことを特徴とする、請求項１記載の保冷材カバー。
【請求項３】
前記断熱シート太前記遮水シート部は、左右両端側の端部同士が接合された
ことを特徴とする、請求項１記載の保冷材カバー。
【請求項４】
前記断熱シート太前記遮水シート部は、さらに、上端側の端部同士が接合された
ことを特徴とする、請求項２記載の保冷材カバー。
【考案の詳細な説明】
【技術分野】
【０００１】
本考案は保冷材カバーに関し、具体的には、保冷材の持続性を向上させるとともに、使用者の汗が保冷材に付着することを防ぐことができる保冷材カバーに関する。
【背景技術】
【０００２】
従来から、高温条件下で作業を行う際の熱中症対策として、例えば特許文献１の冷却服が知られている。
【０００３】
これらの従来の冷却服は、胸部等に所定の大きさの保冷材を収納するポケットを設けたメッシュ生地のベスト形状の衣服であることが通常である。
【０００４】
これらの従来の冷却服は、また、原子力施設等の作業においても、作業者の熱中症対策のために用いられている。原子力施設等における作業を行う際には、各作業者の身体に放射性物質等が付着することを防ぐための防護服を着用することが一般的であり、当該作業が高温条件下で行われる際には、防護服の下に前述の冷却服が着用されることが通常である。
【先行技術文献】
【特許文献】
【０００５】
【特許文献１】特開２０１１−１６６９号公報
【考案の概要】
【考案が解決しようとする課題】
【０００６】
しかし、原子力施設等の作業は、特に事故発生時の緊急作業等、大量の人員を必要とすることがあり、このような場合には原子力施設内ではなく、原子力施設付近のグラウンド等スポーツ施設を臨時の待機所とすることがある。このような場合には、各作業者は原子力施設から離れた場所にある待機所で前述の冷却服や防護服等、必要な装備品を装備してから、原子力施設に移動して作業を行うこととなる。
【０００７】
しかし、原子力施設と待機所の距離が離れている場合には、作業者が原子力施設に到着する頃には保冷材が溶けてしまうという問題があった。また、原子力施設等では一の作業者が高温条件下で３時間程度の作業を行うことがあるが、従来の冷却服では作業が終了する前に保冷材が溶けてしまうという問題があった。
【０００８】
さらに、原子力施設等における作業では、前述の通り大量の人員を動員する必要から、複数の作業者間で保冷材を共有する運用が行われる場合がある。この場合に、長時間の作業によって作業者の汗が冷却材に付着すると、当該冷却材を共有する他の作業者は不快な環境での作業を強いられるという問題があった。
【０００９】
本考案は前述の状況に着目し、保冷材の持続性を向上させるとともに、作業者の汗が保冷材に付着することを防ぐことができる保冷材カバーを提供することを、その課題とするものである。
【課題を解決するための手段】
【００１０】
前述の課題を解決することを目的としてなされた本考案の構成は、作業者が装着する保冷材を覆う保冷材カバーであって、前記保冷材カバーは、発泡体を略矩形のシート状に形成した断熱シート部と、該断熱シート部と略同一形状に形成された遮水性素材からなる遮水シート部と、を備え、前記作業者が保冷材を装着した際に、前記保冷材の作業者側に前記遮水シート部が位置し、作業者と反対側に前記断熱シート部が位置するようにしたことを特徴としている。
【００１１】
本考案に係る保冷材カバーは、前記断熱シート部と前記遮水シート部の上端側の端部同士を接合してもよい。また、前記断熱シート太前記遮水シート部は、左右両端側の端部同士を接合してもよく、さらに上端側の端部同士を接合してもよい。
【考案の効果】
【００１２】
本考案に係る保冷材カバーは、保冷材を収容した状態で、保冷材の作業者側は遮水シート部により覆われ、作業者と反対側は発泡体からなる断熱シート部によって覆われる。この構成により、高温状況下にさらされる保冷材の持続性を断熱シート部によって向上することができ、また、作業者の汗が保冷材に付着することを遮水シート部によって防ぐことができる。
【図面の簡単な説明】
【００１３】
【図１】本考案に係る保冷材カバーの実施形態の一例を示す斜視図。
【図２】本考案に係る保冷材カバーを使用する冷却服の一例を示す図であり、（ａ）は正面図、（ｂ）は背面図である。
【図３】同実施形態の仕様状態を示す断面図。
【図４】本考案に係る保冷材カバーの他の実施形態を示す斜視図。
【考案を実施するための形態】
【００１４】
以下、図面を参照して本考案の実施の形態について説明する。図１は、本考案の第一の実施形態に係る保冷材カバー１の構成を示す斜視図である。保冷材カバー１は、断熱シート部２と、遮水シート部３と、から構成されている。
【００１５】
断熱シート部２は、合成樹脂材料を発泡させて形成したシート状の発泡体からなる部材である。発泡体の材料としてはポリプロピレン系、ポリエチレン系、ポリエステル系、ナイロン系等の合成樹脂を使用してよく、例えばプロピレン系樹脂の単体、或いは、当該樹脂にエチレン系樹脂、ブテン系樹脂、ポリ塩化ビニル等のビニル系樹脂、スチレン系樹脂のいずれかを混合した樹脂材料を用いることができる。本実施形態における発泡体は、これらの樹脂材料を発泡剤倍率１０〜１００倍に発泡させたものを使用している。また、発泡体に含まれる気泡は独立気泡でも連続気泡でも良いが、独立気泡とする場合にはシート厚みを０．１ｍｍ〜３ｍｍ前後とすると望ましく、連続気泡とする場合はシート厚みを４ｍｍ〜６ｍｍ、厚くても１０ｍｍ以下とすると望ましい。
【００１６】
遮水シート部３は、合成樹脂材料をシート状に形成した部材である。材料としては周知の遮水性を有するものを適宜選択してよく、例えば塩化ビニル系等のビニル系樹脂等を用いることができる。
【００１７】
断熱シート部２及び遮水シート部３は、略同一形状に形成されたものである。夫々の大きさは適宜選択してよいが、本実施形態では後述の保冷材５を収納した状態で保冷材カバー１を冷却服６のポケット６２に収容できるように、幅９０ｍｍ〜１７０ｍｍ、高さ１６５ｍｍ〜２００ｍｍ程度に形成されている。
【００１８】
本実施形態に係る保冷材カバー１は、断熱シート部２と遮水シート部３が、短辺となる端部２１、３１付近において接合されている。これにより、保冷材カバー１は、断熱シート部２又は遮水シート部３のいずれか、或いは双方をめくることにより、当該断熱シート部２と遮水シート部３の間の空間に後述の保冷材を収納することができる。
【００１９】
図２は、本実施形態に係る保冷材カバー１を装着する冷却服の一例を示す正面図である。図２で示すように、冷却服５は、袖の無いベスト状の衣服であり、前後の身頃部５１、５２、及び保冷材４を収納するポケット５３は、メッシュ素材の生地から形成されている。この冷却服５は、ポケット５３に冷却材を収納し、当該保冷材４によって着用者の体温上昇を防ぐものである。
【００２０】
保冷材４は、冷却服５に収納されることで装着される部材であり、含水給水ゲル、水溶性ポリマー水溶液等からなる保冷剤を袋体内に封入したものが一般的である。この保冷材４を冷凍庫等で冷却し、当該冷却した保冷材４を冷却服５のポケット５３に収納することで、冷却服５の着用者を保冷するものである。
【００２１】
図３は、本実施形態に係る保冷材カバー１の使用状態を示す断面図である。高温条件下で作業を行う際には、まず冷却した保冷材４を保冷材カバー１に収納し、当該保冷材４を収納した保冷材カバー１を冷却服５のポケット５３に収納する。このとき、図３で示すように、保冷材４と作業者６の身体との間に遮水シート部３、作業者６の身体と反対側に断熱シート部２が位置するように保冷材カバー１を装着することにより、作業者６周囲の熱は断熱シート部２によって遮断されるので、保冷材４の持続性を向上させることができる。また、作業者６と保冷材４の間には遮水シート部３が位置しており、作業者６が発汗する汗が保冷材４に付着することを効果的に防ぐことができる。
【００２２】
次に、本考案の第二の実施形態に係る保冷材カバーについて説明する。
図４は、本考案の第二の実施形態に係る保冷材カバー１Ｂの構成を示す斜視図である。保冷材カバー１Ｂは、前述の第一の実施形態に係る保冷材カバー１と同様に、断熱シート部２と、遮水シート部３から構成されている。
【００２３】
断熱シート部１、及び遮水シート部３の素材や形状、大きさについては第一の実施形態に係る保冷材カバー１と同一であるが、第一の実施形態では断熱シート部１と遮水カバー部２を上端側の端部２１、３１で接合しているのに対し、第二の実施形態では左右の長辺側端部２２と３２、２３と３３をそれぞれ接合している。
【００２４】
第一の実施形態に係る保冷材カバー１は上端側端部によって断熱シート部２と遮水シート部３が接合されており、また、第二の実施形態に係る保冷材カバーでは左右両端側端部によって断熱シート部２と遮水シート部３が接合されている。この構成により、保冷材カバー１、１Ｂは下端側に袋状の部位を有さないため、作業者６が発汗した汗が保冷材カバー１、１Ｂの内部に入った際に、当該保冷材カバー１、１Ｂの下端側から外部に流れ出ることができる。これにより、保冷材カバー１、１Ｂは簡易な構造とすることができ、低い製造コストによって保冷材４の持続性向上と汗の保冷材への付着防止を実現することができる。
【００２５】
本考案の実施形態の構成は前述の通りであるが、本考案の形態はこれに限られない。たとえば、第二の実施形態では断熱シート部２と遮水シート部３を左右両端側の端部で接合しているが、さらに上端側端部で接合してもよい。この場合は、作業者が発汗した汗が保冷材４に付着することをさらに効果的に防止することができる。
その他の具体的構成についても、本考案の趣旨を逸脱しない範囲でさまざまな変更が可能である。
【符号の説明】
【００２６】
１            保冷材カバー
２            断熱シート部
３            遮水シート部
４            保冷材
５            冷却服
【図１】
0003184825.tif 000003
【図２】
0003184825.tif 000004
【図３】
0003184825.tif 000005
【図４】
0003184825.tif 000006